(57)【特許請求の範囲】
【請求項１】
耐火被覆材で覆われた鋼製の柱間に耐火被覆材で覆われた上、下階の鋼製床梁を架け渡し、水平方向に対向する床梁間に上、下階の床構造を支持した建物躯体に、内壁面材との間に壁内空間を形成して外壁面材を取り付けた建物の耐火構造であって、
前記壁内空間を屋外側と屋内側とに二分して遮断する不燃板が壁内空間内に立設され、該不燃板の表面全体を覆って吹付け耐火材が塗着されているとともに、不燃板の端縁部と建物躯体との隙間が吹付け耐火材で気密に塞がれていることを特徴とする建物の耐火構造。
【請求項２】
前記不燃板が、取付金物を介して上階の床梁とこの床梁直下の下階床面との間に取り付けられていることを特徴とする請求項１記載の建物の耐火構造。
【請求項３】
前記外壁面材が、サイディングボードで形成されていることを特徴とする請求項１または２記載の建物の耐火構造。
【請求項４】
鋼製の柱間に上、下階の鋼製床梁を架け渡し、水平方向に対向する床梁間に上、下階の床構造を支持して建物躯体を構築し、該建物躯体に、内壁面材との間に壁内空間を形成して外壁面材を取り付ける建物の耐火構造の施工方法において、
上階の床梁またはこの床梁直下の下階床面に取付金物を固定し、該取付金物を介して前記壁内空間を屋外側と屋内側とに二分する不燃板を立設する工程と、上、下階の床梁と柱のそれぞれを予め耐火被覆材で覆う工程と、その後、不燃板の屋内側面に吹付け耐火材を塗着するとともに、不燃板の端縁部と建物躯体との隙間を吹付け耐火材で気密に塞ぐ工程とを備えていることを特徴とする建物の耐火構造の施工方法。
【発明の詳細な説明】
【０００１】
【発明の属する技術分野】
本発明は、建物の耐火構造とその施工方法に関する。
【０００２】
【従来の技術】
建物の耐火構造とは、隣家の火災により容易に延焼せず、また、火災に対して長時間耐え、耐力の低下が少なく被災後も小さな修理によって再び使用できる構造のものである。
上記建物の耐火構造としては、これまで種々知られているが、例えば、特許第２７７３８２７号公報に記載のものは、建物の耐火外壁をコンクリートパネルで形成し、コンクリートパネルと間隙を隔てて鋼製の梁が平行に配され、このコンクリートパネルと梁との間の間隙を遮るように耐火材下地金物を設け、梁と耐火材下地金物との回りにロックウール等の耐火材を塗着して覆ったものである。
【０００３】
【発明が解決しようとする課題】
しかしながら、上記公報記載の建物の耐火構造においては、コンクリートパネルで形成された耐火外壁自体の壁厚が大であるため（約６０ｍｍから１００ｍｍ）、外壁面から柱、梁等の構造体を含めた内壁面までの建物の壁厚が厚くなり、その分居住面積が少なくなるという問題がある。
【０００４】
本発明は、上述のような問題点を解決するためになされたもので、外壁面から内壁面までの壁厚を抑えることができる建物の耐火構造とその施工方法を提供することを目的とする。
【０００５】
【課題を解決するための手段】
請求項１記載の発明は、耐火被覆材で覆われた鋼製の柱間に耐火被覆材で覆われた上、下階の鋼製床梁を架け渡し、水平方向に対向する床梁間に上、下階の床構造を支持した建物躯体に、内壁面材との間に壁内空間を形成して外壁面材を取り付けた建物の耐火構造であって、
前記壁内空間を屋外側と屋内側とに二分して遮断する不燃板が壁内空間内に立設され、該不燃板の表面全体を覆って吹付け耐火材が塗着されているとともに、不燃板の端縁部と建物躯体との隙間が吹付け耐火材で気密に塞がれていることを特徴とする。
【０００６】
請求項２記載の発明は、請求項１記載の建物の耐火構造において、前記不燃板が、取付金物を介して上階の床梁とこの床梁直下の下階床面との間に取り付けられていることを特徴とする。
【０００７】
請求項３記載の発明は、請求項１または２記載の建物の耐火構造において、前記外壁面材が、サイディングボードで形成されていることを特徴とする。
【０００８】
請求項４記載の発明は、鋼製の柱間に上、下階の鋼製床梁を架け渡し、水平方向に対向する床梁間に上、下階の床構造を支持して建物躯体を構築し、該建物躯体に、内壁面材との間に壁内空間を形成して外壁面材を取り付ける建物の耐火構造の施工方法において、
上階の床梁またはこの床梁直下の下階床面に取付金物を固定し、該取付金物を介して前記壁内空間を屋外側と屋内側とに二分する不燃板を立設する工程と、上、下階の床梁と柱のそれぞれを予め耐火被覆材で覆う工程と、その後、不燃板の屋内側面に吹付け耐火材を塗着するとともに、不燃板の端縁部と建物躯体との隙間を吹付け耐火材で気密に塞ぐ工程とを備えていることを特徴とする。
【０００９】
請求項１記載の本発明において、不燃板としては、鋼、ステンレス、アルミニウム等の金属板や、スレート等の建築用不燃ボードを挙げることができる。
【００１０】
請求項３記載の本発明において、サイディングボードとは、建物の外壁に使用する板状の壁面材であって、凹凸模様を付けた塗装金属板や化粧合板等で形成され、不燃性であるが耐火外壁としての耐火性能を備えていなくてもよく、コンクリートパネル等の耐火外壁に比べて薄肉であり、意匠性に優れるとともに、耐水性と耐候性とを備えたものである。
【００１１】
（作用）
請求項１記載の本発明の建物の耐火構造によると、鋼製の柱と床梁とが耐火被覆材で覆われているので、屋外側からの延焼に対して柱、梁の温度上昇を抑制する。そして、壁内空間を屋外側と屋内側とに二分して遮断する不燃板が壁内空間内に立設され、不燃板の表面全体を覆って吹付け耐火材が塗着されているとともに、不燃板の端縁部と建物躯体との隙間が吹付け耐火材で気密に塞がれているので、屋外側からの延焼に対して吹付け耐火材が塗着された不燃板で遮炎されるとともに、途切れのない耐火層が形成され、建物の耐火構造が確保される。
この際、外壁面材自体を耐火構造としなくても建物の耐火構造が確保されるので、外壁面材を薄肉にでき、外壁面から内壁面までの壁厚を抑えることができる。
【００１２】
請求項２記載の本発明の建物の耐火構造によると、さらに、前記不燃板が、取付金物を介して上階の床梁とこの床梁直下の下階床面との間に取り付けられているので、不燃板の取付施工性がよく、しかも、高価な耐火外壁を使用しないでも容易に耐火構造にできるので、経済的である。
また、この建物を耐火建築物としなくてよい場合、柱、床梁の耐火被覆材を省略し、不燃板を外壁面材を留めるためのスタッド等に変更すれば、外壁面材、開口等の部品がそのままの割り付けで使用でき、部品点数の削減とコストの低減を図れる。
【００１３】
請求項３記載の本発明の建物の耐火構造によると、さらに、前記外壁面材が、サイディングボードで形成されているので、意匠性に富む外壁面を形成できる。
【００１４】
請求項４記載の本発明の耐火構造の施工方法によると、上、下階の床梁と柱のそれぞれを予め耐火被覆材で覆った後、不燃板の屋内側面に吹付け耐火材を塗着するとともに、不燃板の端縁部と建物躯体との隙間を吹付け耐火材で気密に塞ぐようにするので、壁内空間内が延焼しても確実に遮炎できるとともに、耐火目地材等で上記隙間を埋める面倒な後工程を省略できる。
【００１５】
【発明の実施の形態】
以下、この発明の実施の形態を図面に基づいて説明する。
図１〜図４は、本発明の一実施の形態であって、図１は建物の耐火構造を示す縦断面図であり、図２は建物の耐火構造を示す横断面図である。図３は梁を覆う耐火被覆材の変形例を示す断面図であり、図４は不燃板の斜視図である。
【００１６】
（建物）
本実施の形態において、建物は、図１と図２に示すように、Ｈ形鋼でなる柱１，１間に上、下階の床梁５，６（同じくＨ形鋼）を架け渡し、水平方向に対向する上階の床梁５，５および下階の床梁６，６間に、それぞれ上階の床構造５と下階の床構造６とを支持して建物躯体を構成している。床構造５、６は、いずれも、不燃材料であるＡＬＣ板（オートクレーブ養生の軽量コンクリート板）で形成され、この床構造５，６の上には床根太を介して不図示の床面材が張設される。上記構成の建物躯体の屋内側に、縦桟８を介して石膏ボード等からなる内壁面材７が取り付けられるとともに、天井根太１５を介して天井面材１４が取り付けられる。そして、建物躯体の屋外側には、上記内壁面材７との間に壁内空間９を形成して外壁面材１０が取り付けられている。
上記外壁面材１０は、下地ボードの表面にタイルが敷設されたタイル付きサイディングボードで形成されている。
【００１７】
（建物の耐火構造）
柱１の外周４面は、耐火認定を受けた繊維混入けい酸カルシウム耐火被覆板である耐火被覆材２で覆われている。
また、床梁５，６の両側面と底面の３面は、上記と同じ耐火被覆材２で覆われている。床梁３，４の上面は、ＡＬＣ板でなる床構造５，６の裏面側で覆われるので、耐火被覆材２を設ける必要がない。
上記柱１または床梁３，４は、図３（イ）図に示すように、後述の吹付け耐火材１３で覆ってもよいし、図３（ロ）図に示すように、シート状耐火被覆材２Ａを巻き付けるようにして覆ってもよい。
【００１８】
前記内壁面材７と外壁面材１０との間の壁内空間９内には、不燃板１１が立設され、壁内空間９を屋外側と屋内側とに二分して遮断している。
この不燃板１１は、表面全体を覆うように吹付けロックウールでなる吹付け耐火材１３が所定の厚さで塗着されているとともに、不燃板１１の端縁部と建物躯体（柱１、梁３、床構造５，６）との隙間が上記吹付け耐火材１３で気密に塞がれている（図１、図２参照）。
すなわち、不燃板１１の上辺部においては、上階床梁３の底面を覆う耐火被覆材２との隙間を覆うように吹付け耐火材１３が塗着され、不燃板１１の下辺部においては、下階床構造６との隙間を覆うように吹付け耐火材１３が塗着される。また、不燃板１１の両側辺部においては、図２に示すように、柱１を覆う耐火被覆材２との隙間を覆うように吹付け耐火材１３が塗着される。
【００１９】
不燃板１１は、図４（イ）図に示すように、厚さ１．２ｍｍの平らな薄肉鋼板で形成されているが、図４（ロ）図のように角波鋼板であってもよい。
また、不燃板１１は、スレート等の不燃材料であってもよい。
【００２０】
不燃板１１は、図１に示すように、上階床梁３の下面に取り付けられた逆Ｌ字形の取付金物１２を介して上階の床梁３とこの床梁１３直下の下階床面との間に取り付けられている。
なお、取付金物１２を下階床構造６の上にも設けて、不燃板１１の上下を固定するようにしてもよい。
取付金物１２は、上階床梁３の長手方向全長に渡って連続するランナー材であってもよいし、短尺のものとしこれを適宜の間隔を設けて取り付けてもよい。
【００２１】
上記不燃板１１の表面に吹付け耐火材１３（吹付けロックウール）を塗着したものは、（通則）Ｗｎ０１１１・１１１１−吹付けロックウール被覆外壁（非耐力壁）において耐火構造として指定されている（耐火四三三号）。
上記によると、吹付けロックウールの厚さは、３０分耐火では２０ｍｍに、１時間耐火では３０ｍｍとしている。
吹付けロックウールは、配合比率をロックウール６０％、セメント４０％とし、予め水とセメントを混合してスラリーとし、吹付け機でロックウールとスラリーとを混合しながら噴霧状にして下地面である不燃板１１に吹き付けて塗着させたものである。
この際、不燃板１１の塗着面に、メタルラスや鉄筋等を配設しておいてもよい。
【００２２】
（施工方法）
つぎに、上記建物の耐火構造の施工方法について説明する。
予め、基礎Ｋの上に、柱１と、上下階の床梁３，４と、上下階の床構造５，６とからなる前記した建物躯体を構築しておいてから、以下の手順で耐火構造の施工をする。
まず、上階の床梁３に取付金物１２を溶接等で固定し、この取付金物１２を介して壁内空間９を屋外側と屋内側とに二分する不燃板１１を立設する。
この際、不燃板１１の上端面と床梁３の底面との間に、後工程で取り付ける耐火被覆材２の厚さ分だけ隙間をあけておく。
また、不燃板１１の縦方向の両側端面と柱１の壁内空間９側の側面との間にも、後工程で取り付ける耐火被覆材２の厚さ分だけ隙間をあけておく。
そして、不燃板１１の下端面は、下階床構造６に突き当てる。
【００２３】
つぎに、上、下階の床梁３，４の３面と、柱１の４面を、それぞれを予め耐火被覆材２で覆い、その後、先に立設した不燃板１１の屋内側面に吹付け耐火材１３を塗着するとともに、不燃板１１の端縁部と、柱１、上階床梁３、下階床構造６等の建物躯体との隙間を前記吹付け耐火材１３で気密に塞ぐ。
【００２４】
その後、柱１，１間に立設されたスタッド等の間柱（不図示）に屋外側から外壁面材１０を取り付け（外壁面材１０は、耐火構造の施工の前に取り付けておいてもよい）、屋内側に縦桟８を設けて内壁面材７を取り付ける。
なお、不燃板７の屋外側面（吹付け耐火材１３を塗着した側と反対側の面）と外壁面材１０との間に、ガラスウール等の断熱材や透湿防水シートを設け、外壁面材１０の裏面側と透湿防水シートとの間に上下階に通じる通気層を形成するようにしてもよい。
【００２５】
（実施の形態の作用）
本実施の形態の建物の耐火構造によると、鋼製の柱１と床梁３，４とが耐火被覆材２で覆われているので、屋外側からの延焼に対して柱１、梁３，４の温度上昇を抑制する。そして、壁内空間９を屋外側と屋内側とに二分して遮断する不燃板１１が壁内空間９内に立設され、不燃板１１の表面全体を覆って吹付け耐火材１３が塗着されているとともに、不燃板１１の端縁部と建物躯体との隙間が前記吹付け耐火材１３で気密に塞がれているので、屋外側からの延焼に対して吹付け耐火材１３が塗着された不燃板１１で遮炎されるとともに、耐火被覆材２と吹付け耐火材１３とにより途切れのない耐火層が形成され、建物の耐火構造が確保される。
この際、外壁面材１０自体を耐火構造としなくても建物の耐火構造が確保されるので、外壁面材１０を薄肉にでき、外壁面から内壁面までの壁厚を抑えることができる。
【００２６】
さらに、前記不燃板１１が、取付金物１２を介して上階の床梁３とこの床梁３直下の下階床面との間に取り付けられているので、不燃板１１の取付施工性がよく、しかも、高価な耐火外壁を使用しないでも容易に耐火構造にできるので、経済的である。
また、この建物を耐火建築物としなくてよい場合、柱１、床梁３，４の耐火被覆材２を省略し、不燃板１１を外壁面材１０を留めるためのスタッド等に変更すれば、外壁面材１０、開口等の部品がそのままの割り付けで使用でき、部品点数の削減とコストの低減を図れる。
【００２７】
さらに、前記外壁面材１０が、タイル付きのサイディングボードで形成されているので、意匠性に富む外壁面を形成できる。
【００２８】
本実施の形態の耐火構造の施工方法によると、上、下階の床梁３，４と柱１のそれぞれを予め耐火被覆材２で覆った後、不燃板１１の屋内側面に吹付け耐火材１３を塗着するとともに、不燃板１１の端縁部と建物躯体との隙間を前記吹付け耐火材１３で気密に塞ぐようにするので、壁内空間９内が延焼しても確実に遮炎できるとともに、耐火目地材等で上記隙間を埋める面倒な後工程を省略できる。
【００２９】
【発明の効果】
請求項１記載の本発明の建物の耐火構造によると、外壁面から内壁面までの壁厚を抑えることができる。
【００３０】
請求項２記載の本発明の建物の耐火構造によると、さらに、不燃板の取付施工性がよく、しかも、高価な耐火外壁を使用しないでも容易に耐火構造にできるので、経済的である。
【００３１】
請求項３記載の本発明の建物の耐火構造によると、さらに、前記外壁面材が、サイディングボードで形成されているので、意匠性に富む外壁面を形成できる。
【００３２】
請求項４記載の本発明の耐火構造の施工方法によると、壁内空間内が延焼しても確実に遮炎できるとともに、耐火目地材等で隙間を埋める面倒な後工程を省略できる。
【図面の簡単な説明】
【図１】本発明の一実施の形態であって、建物の耐火構造を示す縦断面図である。
【図２】建物の耐火構造を示す横断面図である。
【図３】梁を覆う耐火被覆材の変形例を示す断面図である。
【図４】不燃板の斜視図である。
【符号の説明】
１          柱
２，２Ａ    耐火被覆材
３          上階の床梁
４          下階の床梁
５          上階の床構造
６          下階の床構造
７          内壁面材
９          壁内空間
１０        外壁面材
１１，１１Ａ  不燃板
１２        取付金物
１３        吹付け耐火材
【図１】
0003860738.tif 000002
【図２】
0003860738.tif 000003
【図３】
0003860738.tif 000004
【図４】
0003860738.tif 000005